(57)【要約】【課題】被管理者（高齢者等）が屋内にいるか外出しているかに関わらず、容易に被管理者の活動を把握できる管理装置、遠隔健康管理システム、及びプログラムを提供すること。【解決手段】データ受信部３１は、被管理者の屋内での動きを検出するセンサが検出した活動度と、被管理者が屋外で携帯する活動量計が検出した活動量と、を取得する。グラフ生成部３３は、活動度の推移と、活動量の推移と、を同一画面上に表示した表示画面を生成する【選択図】図４
2016168067.tif 000002
【特許請求の範囲】
【請求項１】
被管理者の屋内での動きを検出するセンサが検出した活動度と、前記被管理者が屋外で携帯する活動量計が検出した活動量と、を取得するデータ受信部と、
前記活動度の推移と、前記活動量の推移と、を同一画面上に表示した表示画面を生成するグラフ生成部と、
を備える管理装置。
【請求項２】
前記グラフ生成部は、  前記活動度の推移を示す第１グラフと、前記活動量の推移を示す第２グラフと、を同一画面上に表示した表示画面を生成する、ことを特徴とする請求項１に記載の管理装置。
【請求項３】
前記グラフ生成部は、前記第１グラフの時間軸と前記第２グラフの時間軸が対応位置に配置されるように前記表示画面を生成する、
ことを特徴とする請求項２に記載の管理装置。
【請求項４】
前記データ受信部は、各日の天候情報を取得し、
前記グラフ生成部は、前記天候情報を基に前記表示画面上に各日の天候を表示する、
ことを特徴とする請求項１〜３のいずれか１項に記載の管理装置。
【請求項５】
前記グラフ生成部は、前記活動度と前記活動量を用いた評価を行って前記被管理者の活動が少ない期間を特定し、前記表示画面において当該期間の表示効果を変更する、ことを特徴とする請求項１〜４のいずれか１項に記載の管理装置。
【請求項６】
前記グラフ生成部は、前記活動度が第１レベル以下となり、かつ前記活動量が第２レベル以下となっている期間を特定し、前記表示画面において当該期間の表示効果を変更する、
ことを特徴とする請求項５に記載の管理装置。
【請求項７】
前記グラフ生成部は、前記活動量の上限値を定め、前記上限値を超える場合には前記上限値とみなして前記表示画面を生成する、
ことを特徴とする請求項１〜６のいずれか１項に記載の管理装置。
【請求項８】
前記グラフ生成部は、前記上限値を１００％として前記活動量の推移をパーセンテージで表現する、
ことを特徴とする請求項７に記載の管理装置。
【請求項９】
前記グラフ生成部は、前記活動度の履歴を用いて前記活動度の過去の推移を前記第１グラフに合わせて表示する、
ことを特徴とすることを特徴とする請求項２に記載の管理装置。
【請求項１０】
前記グラフ生成部は、前記活動量の履歴を用いて前記活動量の過去の推移を前記第２グラフに合わせて表示する、
ことを特徴とすることを特徴とする請求項２に記載の管理装置。
【請求項１１】
被管理者の屋内での動きの多さを示す活動度を検出するセンサと、
前記被管理者の屋外での活動を示す活動量を検出する活動量計と、
前記センサが検出した活動度と、前記活動量計が検出した活動量と、を受信し、前記活動度の推移と、前記活動量の推移と、を同一画面上に表示した表示画面を生成する管理装置と、
を備える遠隔健康管理システム。
【請求項１２】
コンピュータに、
被管理者の屋内での動きを検出するセンサが検出した活動度と、前記被管理者が屋外で携帯する活動量計が検出した活動量と、を取得するデータ受信ステップと、
前記活動度の推移と、前記活動量の推移と、を同一画面上に表示した表示画面を生成するグラフ生成ステップと、
を実行させるプログラム。
【発明の詳細な説明】
【技術分野】
【０００１】
本発明は管理装置、遠隔健康管理システム、及びプログラムに関し、特に遠隔地にいる被管理者の健康を管理する管理装置、遠隔健康管理システム、及びプログラムに関する。
【背景技術】
【０００２】
近年、一人暮らしの高齢者の生活を見守るみまもりシステムが広く提案／活用されている（例えば非特許文献１、非特許文献２）。非特許文献１では、被管理者(主に高齢者であり、見守られる側の人）が携帯するお知らせボタンが押された場合や部屋の設定温度が一定値以上となった場合に、被管理者の家族等（見守る側の人）にメール通知するシステムが運用されている。また非特許文献２では、センサ等で被管理者の異常を検知した際に、見守る側（家族等）に対して異常をメールで知らせるシステムが運用されている。
【０００３】
このような高齢者等を見守るシステムでは、被管理者が屋内にいる場合と屋外にいる場合（外出した場合）の双方を考慮する必要がある。例えば特許文献１に記載のシステムでは、在宅モードと外出モードを切り分けて安否確認を行うシステムが開示されている。
【先行技術文献】
【特許文献】
【０００４】
【特許文献１】特開２０１３−２３５３１６号公報
【非特許文献】
【０００５】
【非特許文献１】いまイルモ、[online]、平成２７年２月２３日検索]、インターネット<URL: http://www.imairumo.com/about/>
【非特許文献２】たてやまみまもりｅｙｅ、[online]、平成２７年２月２３日検索]、インターネット<URL: http://www.tateyama-mimamori-eye.com/hns/service/report.html>
【発明の概要】
【発明が解決しようとする課題】
【０００６】
上述のように、みまもりシステムにおいて在宅モードと外出モードを切り分けて運用することが重要となる。特許文献１のシステムでは、扉の開閉を検知して在宅モードと外出モードを切り替えている（特許文献１段落００３２）。しかしながら、扉の開閉を基にした外出検知は、実際に外出したかどうかをはっきり認識できない場合がある。また外出したことを被管理者（見守られる側の人）が登録することも考えられるが、被管理者は主に高齢者であるため、負担が大きい。すなわち見守る側の人間（オブザーバ）が被管理者の生活を正確に把握できないと共に、被管理者の負担が大きいという問題があった。
【０００７】
本発明は、このような状況に鑑みてなされたものであり、被管理者（高齢者等）が屋内にいるか外出しているかに関わらず、容易に被管理者の活動を把握できる管理装置、遠隔健康管理システム、及びプログラムを提供することを主たる目的とする。
【課題を解決するための手段】
【０００８】
本発明にかかる管理装置の一態様は、
被管理者の屋内での動きを検出するセンサが検出した活動度と、前記被管理者が屋外で携帯する活動量計が検出した活動量と、を取得するデータ受信部と、
前記活動度の推移と、前記活動量の推移と、を同一画面上に表示した表示画面を生成するグラフ生成部と、
を備える、ものである。
【０００９】
管理装置は、屋内での活動の推移を示す第１グラフと、屋外での活動の推移を示す第２グラフと、を同時に表示した表示画面を生成する。ここで被管理者は、屋外に外出する際に活動量計を携帯するだけでよい。オブザーバは、この表示画面を参照することにより、被管理者に関する屋内と屋外を合わせた活動の変化を認識することができる。
【発明の効果】
【００１０】
本発明は、被管理者（高齢者等）が屋内にいるか外出しているかに関わらず、容易に被管理者の活動を把握できる管理装置、遠隔健康管理システム、及びプログラムを提供することができる。
【図面の簡単な説明】
【００１１】
【図１】実施の形態１にかかる遠隔健康管理システム１の構成を示すブロック図である。
【図２】実施の形態１にかかる住居２の構成例を示す図である。
【図３】実施の形態１にかかるゲートウェイ装置２２が送信する活動度検出データ、及び活動量検出データのデータ例である。
【図４】実施の形態１にかかる管理装置３の構成を示すブロック図である。
【図５】実施の形態１にかかるグラフ生成部３３が生成した表示画面の一例を示す図である。
【図６】実施の形態２にかかるグラフ生成部３３が生成した表示画面の一例を示す図である。
【図７】実施の形態３にかかるグラフ生成部３３が生成した表示画面の一例を示す図である。
【図８】実施の形態４にかかるグラフ生成部３３が生成した表示画面の一例を示す図である。
【図９】実施の形態４にかかるグラフ生成部３３が生成した表示画面の一例を示す図である。
【図１０】実施の形態５にかかるグラフ生成部３３が生成した表示画面の一例を示す図である。
【図１１】実施の形態５にかかるグラフ生成部３３が生成した表示画面の一例を示す図である。
【図１２】その他の実施の形態にかかるグラフ生成部３３が生成した表示画面の一例を示す図である。
【発明を実施するための形態】
【００１２】
＜実施の形態１＞
以下、図面を参照して本発明の実施の形態について説明する。図１は、本実施の形態にかかる遠隔健康管理システム１の構成を示す概念図である。遠隔健康管理システム１は、遠隔地から被管理者Ｐの健康を管理するシステムである。被管理者Ｐの例としては、一人暮らしの高齢者が挙げられる。
【００１３】
遠隔健康管理システム１は、住居２、管理装置３、活動量計４、及び端末装置５を有する。住居２は、被管理者Ｐの住む住居である。住居２には、センサ群２１及びゲートウェイ装置２２が配置される。住居２には、一般的に複数の居室２０がある。同様にセンサ群２１は、複数のセンサ（第１センサ、第２センサ等。詳細には図２に示すセンサ２１Ａ〜２１Ｆ）から構成される。図２を参照して、住居２の構成例について説明する。
【００１４】
住居２には、複数の居室２０が存在する。ここで居室とは、寝室２０Ａや居間２０Ｂ等の部屋に加えて、玄関２０Ｃ、台所２０Ｄ、洗面所／トイレ２０Ｅ、浴室２０Ｆなどの生活活動が営まれる場所を含む。本例ではセンサ群２１は、センサ２１Ａ〜２１Ｆ（第１センサ、第２センサ、―――、第６センサ）から構成される。センサ２１Ａ〜２１Ｆは、各居室２０Ａ〜２０Ｆに配置される。センサ２１Ａ〜２１Ｆは、屋内での被管理者Ｐの動きの多さ（活動度）を検出するものである。なおセンサ２１Ａ〜２１Ｆが検出する活動度を第１活動度、第２活動度、――、第６活動度と呼称する。
【００１５】
例えばセンサ２１Ａ〜２１Ｆは、所定時間内（例：１時間）に所定回数（例：１００回）のセンシングを行い、センサ２１Ａ〜２１Ｆの検出範囲を被管理者Ｐが横切った回数を検出する。この場合、頻繁に動いている場合にはセンサ２１Ａ〜２１Ｆの検出した回数の合計が１００回（すなわち１００％）に近くなり、動きが無い場合には合計が０回（すなわち０％）に近くなる。
【００１６】
またセンサ２１Ａ〜２１Ｆは、検出範囲内に被管理者Ｐが在している場合に検出信号を出力し、検出信号の出力継続時間や出力／非出力の切り替わり頻度に応じて被管理者Ｐの活動度を数値として検出してもよい。センサ２１Ａ〜２１Ｆの例として、例えば焦電センサが挙げられる。センサ２１Ａ〜２１Ｆの検出する活動度は、様々な形態で表すことが出来るが、以下の説明では％表示で説明する。
【００１７】
センサ２１Ａ〜２１Ｆは、検出した被管理者Ｐの活動度を検出した日時と関連付けてゲートウェイ装置２２に送信する。
【００１８】
なお図２の例では、各居室２０Ａ〜２０Ｆにそれぞれ一つずつのセンサ２１Ａ〜２１Ｆが配置されている例を示したが、必ずしもこれに限られず、複数のセンサが一つの居室内に設けられていてもよい。
【００１９】
再び図１を参照する。端末装置５は、管理装置３と通信可能な端末である。端末装置５は、被管理者Ｐに対するオブザーバ（図示せず）に対して情報を提示する。つまり端末装置５は、オブザーバに保持される端末である。端末装置５は、ウェブブラウザ等を介して管理装置３に対してリクエストを送信し、そのレスポンスとして後述する表示画面情報（図５）等を受信して画面上に提示する。
【００２０】
端末装置５の例としては、ディスプレイを有する携帯情報端末（スマートフォン、タブレット型コンピュータ、ノート型コンピュータ等）、据え置き型のコンピュータ装置等が挙げられる。またオブザーバの例としては、被管理者Ｐの家族を含む血縁関係者、被管理者Ｐのかかり付け医を含む医療従事者、被管理者Ｐを担当する介護担当者、被管理者Ｐの契約する警備会社、自治体、健康保険事業者などが挙げられる。
【００２１】
活動量計４は、被管理者Ｐが住居２からの外出時に所持する（換言すると屋外で携帯する）デバイスである。活動量計４は、被管理者Ｐの身体活動量を検出し、当該活動量をゲートウェイ装置２２に送信する。身体活動量は、例えば歩数や中強度運動量が挙げられる。以下の説明では、活動量計４が歩数計であるものとする。活動量計４は、住居２内では活動量計４を保持するホームステーション型のゲートウェイ装置２２に収容される。
【００２２】
ゲートウェイ装置２２は、センサ２１Ａ〜２１Ｆが検出した活動度を含むデータ（以下、活動度検出データと記載する。）、及び活動量計４が取得した活動量（歩数）を含むデータ（以下、活動量検出データと記載する。）を管理装置３に送信する。なお活動量計４は、活動量検出データを直接管理装置３に送信してもよい。ここで活動度検出データや活動量検出データのデータフォーマットは特に限定されないものの、（活動度の多さ（または活動量の多さ）、取得した日時）を含む（認識できる）ものとする。図３は、ゲートウェイ装置２２が送信する活動度検出データ、及び活動量検出データのデータ例である。
【００２３】
図３（Ａ）は、活動度検出データの一例を示す図である。当該活動度検出データは、取得したセンサのセンサ名、活動度、及び取得した日時が関連付けられたデータフォーマットである。なお図３（Ｂ）に示すように、センサ２１Ａ〜２１Ｆの活動度を予め合算したうえで送信するようにしてもよい。図３（Ｃ）は、活動量検出データの一例を示す図である。当該活動量検出データは、歩数と歩数を取得した日時が関連付けられたデータフォーマットである。
【００２４】
続いて管理装置３の詳細について図４を参照して説明する。管理装置３は、受信した活動度検出データ、及び活動量検出データを基にした表示画面情報を生成して端末装置５に供給する。
【００２５】
管理装置３は、データ受信部３１、不揮発性メモリ３２、グラフ生成部３３、及び作業用メモリ３４を有する。なお管理装置３は、図示しないものの操作部（マウスやキーボード等の入力インターフェイス）や表示部（液晶ディスプレイ）等を適宜備えてもよい。管理装置３は、通信機能を有するサーバ装置である。
【００２６】
データ受信部３１は、ゲートウェイ装置２２が送信した活動度検出データ及び活動量検出データを受信する。データ受信部３１は、受信した活動度検出データ及び活動量検出データを不揮発性メモリ３２に格納する。不揮発性メモリ３２は、電気的に消去や記録が可能な不揮発性のメモリであり、活動度検出データや活動量検出データを含む各種のデータを記憶する。例えば不揮発性メモリ３２は、管理装置３に内蔵されたハードディスクである。
【００２７】
作業用メモリ３４は、データのバッファリングやグラフ生成部３３の作業領域等として使用される。
【００２８】
グラフ生成部３３は、活動度検出データ及び活動量検出データを基に２つのグラフを同一画面上に示した表示画面を生成する。表示画面は、例えばウェブブラウザにより表示可能な情報により表現される。
【００２９】
グラフ生成部３３の機能は、図示しないＣＰＵ（Central Processing Unit）が不揮発性メモリ３２からプログラムを読み出して実行することによって実現される。以下、グラフ生成部３３の動作詳細について説明する。
【００３０】
グラフ生成部３３は、不揮発性メモリ３２から活動度検出データ及び活動量検出データを読み出す。グラフ生成部３３は、活動度検出データを基に被管理者Ｐの屋内での活動度の推移（時間経過に伴う変化）を示す活動度グラフ（第１グラフ）を生成する。詳細にはグラフ生成部３３は、活動度グラフ（第１グラフ）の表示情報（例えばウェブブラウザから閲覧可能な画像データ、ＨＴＭＬデータ等）を生成する。例えばグラフ生成部３３は、各日の活動度をグラフ上にプロットした折れ線グラフを活動度グラフとして生成する（図５参照）。
【００３１】
またグラフ生成部３３は、活動量検出データを基に被管理者Ｐの屋外での活動量の推移（時間経過に伴う変化）を示す活動量グラフ（第２グラフ）を生成する。詳細にはグラフ生成部３３は、活動量グラフ（第２グラフ）の表示情報（例えばウェブブラウザから閲覧可能な画像データ、ＨＴＭＬデータ等）を生成する。例えばグラフ生成部３３は、各日の活動量をグラフ上にプロットした折れ線グラフを活動量グラフとして生成する（図５参照）。そしてグラフ生成部３３は、活動度グラフと活動量グラフが併記された表示画面（詳細にはウェブブラウザから閲覧可能な画像データやＨＴＭＬデータ等）を生成する。
【００３２】
以下、表示画面の生成の詳細について図５を参照して説明する。図５は、グラフ生成部３３が生成した表示画面の一例を示す図である。図示するように表示画面上には、横軸に時間経過を示し、縦軸に活動度の多さを示す活動度グラフが上部に配置される。また表示画面上には横軸に時間経過を示し、縦軸に活動量の多さを示す活動量グラフが下部に配置される。なお、２つグラフの上下関係は逆であってもよく（すなわち活動量グラフを上部に配置し、活動度グラフを下部に配置する。）、左右に並べてもよい。ただし、図示するように２つのグラフの時間軸の位置が対応していることが望ましい。すなわち図５では、２つのグラフの時間軸（月〜日）が対応位置（Ｘ座標が同一）に配置されている。詳細には活動度グラフの月曜日の活動度を表示する横軸位置と、活動量グラフの月曜日の活動量を表示する横軸位置と、が同一となる。また異なる表現をすると、活動度グラフと活動量グラフは、共通の時間軸を持っている。これにより、２つのグラフを参照した場合に、同日の被験者の活動度と活動量の対応が容易に認識できる。
【００３３】
なお横軸と縦軸の表示範囲は、オブザーバの指定等によって適宜変更できるようにしてもよい。例えば、横軸の範囲（値域）が２週間分となってもよい。
【００３４】
なお横軸に活動度または活動量の多さを示すスケールを配置し、縦軸に時間経過を配置するようにしてもよい。この場合であっても２つのグラフの時間軸の位置が対応していることが望ましい。
【００３５】
グラフ生成部３３は、不揮発性メモリ３２から活動度検出データを基に各日の活動度を算出する。グラフ生成部３３は、図５の例では各日の活動度を（％）として算出している。そしてグラフ生成部３３は、活動度の推移を活動度グラフ（図５上部）として表示画面に表示する。
【００３６】
同様にグラフ生成部３３は、不揮発性メモリ３２から読み出した活動量検出データを基に各日の活動量を算出する。グラフ生成部３３は、図５の例では各日の活動量を（歩）として算出している。そしてグラフ生成部３３は、活動量の推移を活動量グラフ（図５下部）として表示画面に表示する。
【００３７】
なおグラフ生成部３３は、図５では活動度や活動量の推移を折れ線グラフで表現したが必ずしもこれに限られず、この他の表現（たとえば棒グラフ）で表現してもよい。また横軸の時間経過の単位として月〜日を記載したが、日付を記載することも勿論可能である。
【００３８】
続いて本実施の形態にかかる遠隔健康管理システム１の効果について説明する。上述のように管理装置３は、屋内での活動を示す活動度グラフ（第１グラフ）と、屋外での活動を示す活動量グラフ（第２グラフ）と、を同時に表示した表示画面（図５）を生成している。オブザーバは、この表示画面を参照することにより、各日の屋内と屋外を合わせた活動を容易に認識することができる。オブザーバは、例えば被管理者Ｐの屋内での活動が少なかった場合でも屋外での活動が多かった日には、被管理者Ｐが健康的に生活していたことを把握できる。またオブザーバは、屋内及び屋外での活動がともに少なかった日には被管理者Ｐの生活が活発ではなかったと認識でき、必要に応じて対応（電話する、メールを送る）を行うことができる。
【００３９】
また図５に示す表示画面の生成に際し、被管理者Ｐが行うべき事は外出時に活動量計４を携帯するのみである。そのため被管理者Ｐの負担が非常に小さい。
【００４０】
＜実施の形態２＞
本実施の形態では、実施の形態１にかかる表示画面に加えて、各日の天候の情報も併せて認識できることを特徴とする。以下、実施の形態１と異なる点を以下に説明する。
【００４１】
遠隔健康管理システム１の装置構成は、基本的に図１、図２、図４に示す構成と同様である。なおデータ受信部３１（図４）は、実施の形態１の構成に加えて各日の天候情報（天候（晴れ／曇り／雨、等）、気温、湿度等）を任意の天候情報提供サービスから受信する。例えば管理装置３は被管理者Ｐの居住地域の情報を天候情報提供サービスに送信し、データ受信部３１は天候情報提供サービスから被管理者Ｐの居住地域の各日の天候情報を受信する。データ受信部３１は、受信した天候情報を不揮発性メモリ３２に格納する。
【００４２】
グラフ生成部３３は、実施の形態１と同様に活動度グラフと活動量グラフが併記された表示画面を生成する。これに加えてグラフ生成部３３は、各日の天候を表示画面上に表示する。図６は、グラフ生成部３３が生成した表示画面の一例を示す図である。図示するように、各日の天候の情報（晴れ／曇り／雨、等）が画面上部に表示されている。なお本例では天候の情報のみが表示画面に表示されているが、グラフ生成部３３は気温や湿度の情報も表示した表示画面を生成してもよい。
【００４３】
続いて本実施の形態にかかる遠隔健康管理システム１の効果について説明する。本実施の形態にかかる表示画面（図６）は、活動度や活動量に加えて各日の天候が表示される。これによりオブザーバは、被管理者Ｐの行動を更に容易に推認することができる。例えばオブザーバは、図６における土曜日が雨であったため被管理者Ｐが屋内で活発に運動したことを容易に推認することができる。
【００４４】
＜実施の形態３＞
本実施の形態では、表示画面において活動度（屋内での活動）及び活動量（屋外での活動）の双方が少ない日を容易に認識できることを特徴とする。以下、実施の形態１と異なる点を以下に説明する。
【００４５】
遠隔健康管理システム１の装置構成は、基本的に図１、図２、図４に示す構成と同様である。グラフ生成部３３は、実施の形態１の処理に加えて以下の処理を行う。グラフ生成部３３は、各日の活動度と第１レベル（例えば３０％）を比較し、各日の活動度が第１レベル以下となっている日を検出する。同様にグラフ生成部３３は、各日の活動量と第２レベル（例えば５０００歩）を比較し、各日の活動量が第２レベル以下となっている日を検出する。そしてグラフ生成部３３は、活動度が第１レベル以下であり、かつ活動量が第２レベル以下となっている期間を特定する。そしてグラフ生成部３３は、当該期間が認識できるような表示効果で表示画面を生成する。なお上述の第１レベルや第２レベルは、被管理者Ｐの年齢等を考慮して、オブザーバまたは被管理者Ｐ自身が設定できるようにしてもよい。
【００４６】
図７は、本実施の形態にかかるグラフ生成部３３が生成した表示画面の一例である。図示するように、活動度及び活動量の双方が少ない期間（土曜日、日曜日）のグラフの背景色が通常と異なる色となっている。
【００４７】
なおグラフ生成部３３は、活動度及び活動量の双方が少ない期間の背景に色ではなく模様をつけてもよい。同様にグラフ生成部３３は、活動度及び活動量の双方が少ない期間の曜日表示（「土」、「日」）を異なる色にするなどしてもよい。つまりグラフ生成部３３は、当該期間を認識できるように表示効果の変更を行えばどのような表現であってもよい。
【００４８】
またグラフ生成部３３は、上述の第１レベルと第２レベルを用いた比較に限られず、その他の比較を行ってもよい。例えばグラフ生成部３３は、１００００歩を１００％として各日の活動量をパーセント表示に変換する。そしてグラフ生成部３３は、各日の活動度と活動量を合算したパーセンテージを算出する。グラフ生成部３３は、このパーセンテージが所定値（例えば５０％）を下回る場合には活動量が少ない期間と特定する。すなわちグラフ生成部３３は、活動度と活動量の評価を行い、活動度及び活動量の双方が少ない期間（換言すると被管理者Ｐの活動が少ない期間）を特定する処理であればどのような処理を行ってもよい。
【００４９】
続いて本実施の形態にかかる遠隔健康管理システム１の効果について説明する。上述のようにグラフ生成部３３は、活動度と活動量の双方が少ない期間を認識できる表示画面（図７）を生成する。これによりオブザーバは、被管理者Ｐの活動が少ない期間を容易に認識できるようになり、速やかな対応（電話やメールで運動をするように促す等）が取りやすくなる。
【００５０】
＜実施の形態４＞
本実施の形態にかかる表示画面では、活動量グラフの縦軸を補正して表現することを特徴とする。以下、実施の形態１と異なる点を以下に説明する。
【００５１】
遠隔健康管理システム１の装置構成は、基本的に図１、図２、図４に示す構成と同様である。
【００５２】
グラフ生成部３３は、実施の形態１と同様に活動度グラフを生成する。そしてグラフ生成部３３は、活動量に関しては縦軸のスケールを固定して活動量グラフを生成する。換言するとグラフ生成部３３は、活動量グラフにおける活動量の上限値を固定する。一般的に高齢者は、一日に１００００歩も歩けば十分な歩数と考えられる。そのため、活動量グラフの縦軸の最大値を１００００歩に固定して活動量グラフを生成する。なお活動量グラフの縦軸の最大値は１００００歩に限らずこれ以外の歩数（例えば８０００歩）であってもよく、オブザーバや被管理者Ｐが設定できるようにしてもよい。
【００５３】
図８は、本実施の形態にかかるグラフ生成部３３が生成した表示画面の一例である。図８の表示画面は、図５に示す表示画面と同様の活動量検出データを基に生成したものである。図示するように活動量のスケールは、上限値が１００００歩となっている。グラフ生成部３３は、１００００歩を超えた場合であっても、１００００歩としてプロットする。つまりグラフ生成部３３は、上記の上限値（１００００歩）を超える場合には値を上限値とみなして活動量グラフを生成する。
【００５４】
図８の表示画面では、図５と比較して火曜日の活動量の縦軸位置が上に移動している。また図８の表示画面では、図５と比較して水曜日から金曜日までの活動量が最大値で推移するように表示される。
【００５５】
なおグラフ生成部３３は、図９に示すように活動度グラフと活動量グラフの縦軸がともにパーセンテージ表示となるようにしてもよい。すなわちグラフ生成部３３は、デフォルト値（またはオブザーバや被管理者Ｐの設定値）を基に各日の活動量をパーセントに換算する。例えば１００００歩を１００％とする場合、グラフ生成部３３は８０００歩を８０％と換算し、１２０００歩を１００％に換算する（上限値を超えた場合には１００％として扱う）。そしてグラフ生成部３３は、このパーセント換算した値を用いて図９に示すような活動量グラフを生成する。
【００５６】
続いて本実施の形態にかかる遠隔健康管理システム１の効果について説明する。図８や図９に示すように、表示画面下部に示す活動量グラフの縦軸が被管理者Ｐの年齢等を考慮して固定される。これによりオブザーバは、被管理者Ｐの特性（年齢、性別、運動好きか、等）に対して活動量が十分であるかを容易に認識することができる。例えば図５と図８は同一データから生成した表示画面であるが、オブザーバは図８の活動量グラフを参照することにより火曜日の活動量も決して少なくなかったことを容易に認識できる。このようにオブザーバが正確に被管理者Ｐの活動状態を認識できるため、被管理者Ｐに対して有効なアドバイスを送ること等が可能になる。
【００５７】
＜実施の形態５＞
本実施の形態にかかる表示画面では、過去の活動度や活動量の推移についても同一画面上で参照できることを特徴とする。本実施の形態にかかる遠隔健康管理システム１について実施の形態１と異なる点を以下に説明する。
【００５８】
遠隔健康管理システム１の装置構成は、基本的に図１、図２、図４に示す構成と同様である。不揮発性メモリ３２は、過去の活動度検出データ及び活動量検出データも併せて記憶し続ける。
【００５９】
以下、図１０を参照して説明する。図１０は、本実施の形態にかかるグラフ生成部３３が生成する表示画面の一例である。グラフ生成部３３は、実施の形態１と同様に近時の対象期間（例えば今週）の活動度グラフ及び活動量グラフを生成する。図１０の例では、グラフ生成部３３は近時の活動度と活動量の推移を実線で示している。
【００６０】
これに加えてグラフ生成部３３は、過去の活動度検出データの履歴及び活動量検出データの履歴を用いて、過去の活動度と活動量の推移を表示する。グラフ生成部３３は、例えば過去１か月の各曜日の活動度や活動量の平均値を算出し、その平均値の推移を活動度グラフ及び活動量グラフに表示する。図１０の例では、グラフ生成部３３は過去の平均活動度や活動量を点線で示している。
【００６１】
なおグラフ生成部３３は、平均処理を行うことなく、例えば先週の活動度や活動量の推移を活動度グラフ及び活動量グラフに表示してもよい。
【００６２】
また季節性を考慮して過去の活動度と活動量の推移を表示してもよい。例えば２０１５年２月１日〜７日の間の推移を示す場合、前年同時期（すなわち２０１４年２月１日〜７日）の間の活動度と活動量の推移を合わせて表示画面に表示してもよい。
【００６３】
続いて本実施の形態にかかる遠隔健康管理システム１の効果について説明する。上述のように本実施の形態にかかる表示画面では、過去の活動度や活動量の推移が同時に表示される（図１０）。これによりオブザーバは、過去の生活習慣と比べて、近時（好適には今週）の被管理者Ｐの生活がどのようなものであったかを認識することができる。例えばオブザーバは、図１０を参照することにより被管理者Ｐが通常は月曜日に屋外で活動するが今週は屋内で活発に活動したことを認識できる。またオブザーバは、被管理者Ｐの今週木曜日及び金曜日の屋内外での活動が通常に比べて少ないことを容易に認識することができる。このようにオブザーバは、被管理者Ｐが通常とかけ離れた活動を行っていることを容易に認識できる。これによりオブザーバは、被管理者Ｐの安否を確認するなど必要な行動をとることができる。
【００６４】
（変形例）
実施の形態５の変形例として天候情報も同時に表示してもよい。図１１は、当該変形例に関する表示画面を示す図である。
【００６５】
グラフ生成部３３は、図１０を実現する構成に加えて、実施の形態２と同様の手法で近時の天候情報を合わせて表示する。すなわち図１１において実線で示している活動度及び活動量の推移に対応する天候の情報が画面上部に表示されている。
【００６６】
オブザーバは、この図１１を参照することにより過去の生活習慣に加えて天候も考慮した被管理者Ｐの活動状態を把握することができる。例えばオブザーバは、図１１を参照すると今週月曜日に被管理者Ｐの屋外での活動が少ないことを認識できるが、これは天候が雨であったためと推認できる。またオブザーバは、図１１を参照すると今週の木曜日〜土曜日の間については天候が晴れであったにもかかわらず被管理者Ｐの活動が屋内外共に少ないことを認識できる。これによりオブザーバは、この期間に被管理者Ｐの体調がすぐれなかったこと等を予測することができ、必要に応じて連絡（電話、メール）等を行うことができる。
【００６７】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００６８】
上述の説明では、被管理者Ｐが一人暮らしの高齢者であることを想定した実施例としたが必ずしもこれに限られない。以下、被管理者Ｐが二人いる場合の実施例について説明する。なお二人の被管理者Ｐをそれぞれ被管理者Ｐ１、被管理者Ｐ２と記載する。
【００６９】
被管理者Ｐ１及びＰ２は、被管理者Ｐ１及び被管理者Ｐ２は、近距離無線通信機能を持つ発信機を携帯する。当該発信機は、常に（または定期的に）ＩＤ情報を含む電波を発信する。そして上述のセンサ２１Ａ〜２１Ｆは、各発信機が発信する電波を受信し、各センサからの距離を検出する。センサ２１Ａ〜２１Ｆは、所定時間内（例：１時間）に所定回数（例：１００回）のセンシングを行い、検出した距離が変化した回数を検出する。これによりセンサ２１Ａ〜２１Ｆは、被管理者Ｐ１と被管理者Ｐ２の活動度を検出する。なおセンサ２１Ａ〜２１Ｆは、ＩＤ情報を用いて被管理者Ｐ１と被管理者Ｐ２を識別する。
【００７０】
なお被管理者Ｐ１と被管理者Ｐ２が発信機を携帯するものとしたが必ずしもこれに限られない。例えばセンサ２１Ａ〜２１Ｆが顔認識機能を有し、被管理者Ｐ１と被管理者Ｐ２の顔を認識したうえで、それぞれについての活動度を検出する構成であってもよい。
【００７１】
また被管理者Ｐ１と被管理者Ｐ２が携帯する活動量計４は、それぞれＩＤ情報を活動量と関連付けて送信する。この管理装置３は、ＩＤ情報を参照することにより被管理者Ｐ１の活動量であるか、被管理者Ｐ２の活動量であるかを識別できる。
【００７２】
そしてグラフ生成部３３は、上述の実施の形態と同様の手法を用いて各被管理者Ｐ１、Ｐ２用の表示画面をそれぞれ生成する。
【００７３】
これによりオブザーバは、被管理者毎の活動度及び活動量を一目で直感的に理解することができる。
【００７４】
なお被管理者Ｐは、３名以上であってもよく、３名以上の場合であっても同様の処理を行えばよい。
【００７５】
また図５等の例では、活動度グラフと活動量グラフの双方を表示画面上に表示することを説明したが必ずしもこれに限られない。例えば活動度の推移と活動量の推移は、１つのグラフ上に表示されてもよい。換言するとグラフ生成部３３は、活動度の推移と活動量の推移を同一画面上に表示すればするような表示制御を行う。
【００７６】
図１２は、当該形態にかかる表示画面の一例である。グラフ生成部３３は、活動度（室内での活動）と活動量（室外での活動）を同一グラフ上に表示する。図１２の例では、左側の縦軸が活動度（室内での活動）の範囲（値域）であり、右側の縦軸が活動量（室外での活動）の範囲（値域）である。そしてグラフ生成部３３は、実施の形態１と同様の処理を行い、折れ線グラフを作成すればよい。
【００７７】
なお図１２の表示はあくまでも一例であり、実施の形態２と同様に天候を表示することや、実施の形態３と同様に室内外での活動が少ない期間を認識できるような表示画面であっても勿論構わない。
【００７８】
図１２に示す構成であっても、活動度と活動量の推移が一目でわかるようになる。また被管理者Ｐは活動量計４を携帯するだけでよいため、被管理者Ｐの負担を大幅に減らすことができる。
【００７９】
また表示画面に被管理者Ｐのスケジュールが合わせて表示されるようにしてもよい。図１３は、当該表示画面の一例を示す図である。被管理者Ｐまたはオブザーバは、被管理者Ｐのスケジュールを図示しない設定画面から登録する。登録されたスケジュールは、管理装置３に送信される。
【００８０】
グラフ生成部３３は、登録されたスケジュールを参照し、活動度グラフや活動量グラフに被管理者Ｐのスケジュールも合わせて表示された表示画面を生成する。なお図１３に示すように、天候も合わせて表示されてもよい。
【００８１】
被管理者Ｐのスケジュールが表示画面から認識できることにより、スケジュールと活動量の関係を容易に認識できる。例えばオブザーバは、図１３の表示画面を参照することにより、被管理者Ｐが木曜日にテニスを行ったため活動量が多いことを容易に認識することができる。
【００８２】
上記した実施形態は、任意に組み合わせて実施してもよいことは勿論であり、被管理者Ｐの状態等に合わせて適宜表示画面が生成されれば良い。
【００８３】
なお上述のデータ受信部３１及びグラフ生成部３３の処理は、管理装置３内で動作するコンピュータプログラムとして実現することができる。ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００８４】
１  遠隔健康管理システム
２  住居
２０  居室
２１  センサ群
２１Ａ〜２１Ｆ  センサ
２２  ゲートウェイ装置
３  管理装置
３１  データ受信部
３２  不揮発性メモリ
３３  グラフ生成部
３４  作業用メモリ
４  活動量計
５  端末装置
Ｐ  被管理者
【図１】
2016168067.tif 000003
【図２】
2016168067.tif 000004
【図３】
2016168067.tif 000005
【図４】
2016168067.tif 000006
【図５】
2016168067.tif 000007
【図６】
2016168067.tif 000008
【図７】
2016168067.tif 000009
【図８】
2016168067.tif 000010
【図９】
2016168067.tif 000011
【図１０】
2016168067.tif 000012
【図１１】
2016168067.tif 000013
【図１２】
2016168067.tif 000014
【図１３】
2016168067.tif 000015
【手続補正書】
【提出日】平成27年3月18日(2015.3.18)
【手続補正１】
【補正対象書類名】明細書
【補正対象項目名】００１１
【補正方法】変更
【補正の内容】
【００１１】
【図１】実施の形態１にかかる遠隔健康管理システム１の構成を示すブロック図である。
【図２】実施の形態１にかかる住居２の構成例を示す図である。
【図３】実施の形態１にかかるゲートウェイ装置２２が送信する活動度検出データ、及び活動量検出データのデータ例である。
【図４】実施の形態１にかかる管理装置３の構成を示すブロック図である。
【図５】実施の形態１にかかるグラフ生成部３３が生成した表示画面の一例を示す図である。
【図６】実施の形態２にかかるグラフ生成部３３が生成した表示画面の一例を示す図である。
【図７】実施の形態３にかかるグラフ生成部３３が生成した表示画面の一例を示す図である。
【図８】実施の形態４にかかるグラフ生成部３３が生成した表示画面の一例を示す図である。
【図９】実施の形態４にかかるグラフ生成部３３が生成した表示画面の一例を示す図である。
【図１０】実施の形態５にかかるグラフ生成部３３が生成した表示画面の一例を示す図である。
【図１１】実施の形態５にかかるグラフ生成部３３が生成した表示画面の一例を示す図である。
【図１２】その他の実施の形態にかかるグラフ生成部３３が生成した表示画面の一例を示す図である。
【図１３】その他の実施の形態にかかるグラフ生成部３３が生成した表示画面の一例を示す図である。